(57)【要約】【課題】波形屋根に対して、回転したり、ぐらついたりするおそれがなく強固に取り付けることができる屋根上取付具および屋根上取付具の取付構造を提供する。【解決手段】脚片１１ｂの下端から折曲延設された内向鍔片１２が、折曲基部１２ａから先端部１２ｂに向けて傾斜起立した形状とされ、波形屋根３０の頂部３１ａから突出したボルト体２１を挟着したときに、折曲基部１２ａが波形屋根３０の上面を押圧する構造となっている。【選択図】図１
2010229644.tif 000002
【特許請求の範囲】
【請求項１】
両脚片を備えて断面略倒コ字形に形成した本体部と、該両脚片のそれぞれの下端から対向するように折曲延設された両内向鍔片とをすくなくとも備えてなり、上記両脚片を緊締して、上記両内向鍔片を相互に近接させて、波形屋根の頂部より突出したボルト体に、該ボルト体に螺着されたナットの上方で挟着させる構造とした屋根上取付具において、
上記内向鍔片は、折曲基部から先端部に向けて傾斜起立した形状とされ、上記ボルト体を挟着したときに、該折曲基部が上記波形屋根の上面を押圧する構造としたことを特徴とする屋根上取付具。
【請求項２】
請求項１において、
上記ナットと上記波形屋根の頂部との間に座金が介装されている屋根上取付具。
【請求項３】
請求項１または２において、
上記波形屋根の頂部は、隣接する波形屋根が重合して形成されてなり、
上記ボルト体およびナットは、上記波形屋根の重合部を貫通して固定する固定部材として設けられている屋根上取付具。
【請求項４】
請求項１〜３のいずれか１項において、
上記内向鍔片が上記ボルト体を挟着したときに、上記折曲基部が上記波形屋根の上面に当接する構造としている屋根上取付具。
【請求項５】
請求項１〜３のいずれか１項において、
上記ボルト体が貫通する貫通孔を有した、上記ナットの上に載置される支持板をさらに備えた構成とされ、
上記内向鍔片は、上記ボルト体を挟着したときに、上記支持板の上面に当接する構造としている屋根上取付具。
【請求項６】
請求項１〜５のいずれかに記載の屋根上取付具を波形屋根に取り付けてなる、屋根上取付具の取付構造。
【発明の詳細な説明】
【技術分野】
【０００１】
本発明は、波形屋根の頂部より突出したボルト体に挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する屋根材同士を重ねてなる重合部をボルト体とナットの螺着によって連結、固定した構造のものでは、重合部を屋根の下方より貫通して屋根上に突出された、屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫通する緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、内向鍔片でボルト体を挟み込む位置は、ボルト体の軸部の、ナットから上方に突き出た箇所となり、そのため内向鍔片をボルト体に挟着させたときには、両脚片の下端を含む内向鍔片の全体は屋根から浮いた状態となる。そのため、屋根上取付具に対して大きな外力が加われば、屋根上取付具が回転したり、ぐらついたりするおそれがあった。
【０００７】
本発明は、このような事情を考慮して提案されたもので、その目的は、波形屋根に対して、回転したり、ぐらついたりするおそれがなく強固に取り付けることができる屋根上取付具およびその取付構造を提供することにある。
【課題を解決するための手段】
【０００８】
上記目的を達成するために、請求項１に係る屋根上取付具は、両脚片を備えて断面略倒コ字形に形成した本体部と、該両脚片のそれぞれの下端から対向するように折曲延設された両内向鍔片とをすくなくとも備えてなり、両脚片を緊締して、両内向鍔片を相互に近接させて、波形屋根の頂部より突出したボルト体に、該ボルト体に螺着されたナットの上方で挟着させる構造とした屋根上取付具において、内向鍔片は、折曲基部から先端部に向けて傾斜起立した形状とされ、ボルト体を挟着したときに、該折曲基部が波形屋根の上面を押圧する構造となっている。
【０００９】
請求項２に係る屋根上取付具は、ナットと波形屋根の頂部との間に座金が介装されている。
【００１０】
請求項３に係る屋根上取付具は、波形屋根の頂部が、隣接する波形屋根が重合して形成されてなり、ボルト体およびナットは、波形屋根の重合部を貫通して固定する固定部材として設けられている。
【００１１】
請求項４に係る屋根上取付具は、内向鍔片がボルト体を挟着したときに、折曲基部が波形屋根の頂部の上面に当接する構造としている。
【００１２】
請求項５に係る屋根上取付具は、ボルト体が貫通する貫通孔を有した、ナットの上に載置される支持板をさらに備えた構成とされ、内向鍔片がボルト体を挟着したときに、支持板の上面に当接する構造としている。
【００１３】
請求項６に係る屋根上取付具の取付構造は、請求項１〜５のいずれかに記載の屋根上取付具を波形屋根に取り付けてなるものである。
【発明の効果】
【００１４】
本発明によれば、次のような効果がある。
【００１５】
すなわち、請求項１に係る屋根上取付具および請求項６に係る屋根上取付具の取付構造によれば、内向鍔片は折曲基部から先端部に向けて傾斜起立した形状とされ、ボルト体に挟着したときに、折曲基部が波形屋根の上面を押圧する構造となっているため、その強い押圧力でもって、回転したりぐらついたりすることを防止でき、屋根上取付具を屋根に対して強固に安定的に固定できる。
【００１６】
請求項２に係る屋根上取付具では、ナットと波形屋根の頂部との間に座金が介装されているので、座金に防水パッキン等を付加することでボルト体の貫通孔からの防水が図れる。また、座金を設けることで内向鍔片の挟着位置が高くなるが、内向鍔片の傾斜を急勾配にすることで座金をかわしてボルト体に挟着させることができる。
【００１７】
請求項３に係る屋根上取付具では、波形屋根の重合部を貫通して固定するためのボルト体に挟着する構成としている。つまり、重合部連結用のボルト体を屋根上取付具の取付用として兼用して利用しているため、屋根上取付具を波形屋根に取り付けるためのボルト体を新たに使用する必要がなく、取付のための部品点数を少なくすることができる。
【００１８】
請求項４に係る屋根上取付具によれば、ボルト体に挟着したときに折曲基部が波形屋根の上面に当接する構造となっているため、波形屋根の上面を直接押圧することで、波形屋根に対する結合力を高めることができる。
【００１９】
請求項５に係る屋根上取付具によれば、ナットの上に載置される支持板をさらに備えた構成とし、内向鍔片の折曲基部がその支持板の上面に当接する構造となっているため、屋根上取付具の内向鍔片はナットや座金を介して波形屋根を押圧できて、波形屋根に対する結合力を高めることができる。支持板を押圧する構成であるため、ナットと折板屋根の頂部との間に座金を介装させて頂部上面から挟着位置までの高さが高くなっている場合でも、内向鍔片の起立状態を急傾斜に形成する必要がなく、特に有効である。
【図面の簡単な説明】
【００２０】
【図１】本発明に係る屋根上取付具の第１の実施形態を示す説明図であり、（ａ）は屋根上取付具の波形屋根への取付状態を示した正面図、（ｂ）は同側面図である。
【図２】（ａ）は図１に示した屋根上取付具の分解斜視図、（ｂ）は（ａ）のＸ部分の拡大平面図である。
【図３】（ａ）、（ｂ）は、同屋根上取付具の施工状態を示す正面図である。
【図４】本発明に係る屋根上取付具の第２の実施形態を示す説明図であり、（ａ）は屋根上取付具の波形屋根への取付状態を示した正面図、（ｂ）は同側面図である。
【図５】図４に示した屋根上取付具の分解斜視図である。
【発明を実施するための形態】
【００２１】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２２】
図１は本発明に係る屋根上取付具の第１の実施形態を示す説明図であり、図１（ａ）は屋根上取付具の折板屋根への取付状態を示した正面図、図１（ｂ）は同側面図である。また、図２（ａ）は図１に示した屋根上取付具の分解斜視図、図２（ｂ）は（ａ）のＸ部分の拡大平面図である。図３（ａ）、（ｂ）は同屋根上取付具の施工状態を示す正面図である。
【００２３】
本実施形態に使用される折板屋根３０は、山部３１と谷部３２とが交互に連続する屋根であって、複数の折板屋根材を山部３１の頂部３１ａで重合し、その重合部３０ａでボルト体２１とナット２２の螺着によって連結した重ね式構造となっている。また、ボルト孔３０ｂからの水浸入を防止するために、ナット２２と頂部３１ａとの間に防水パッキン（図示省略）が取り付けられている。
【００２４】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００２５】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置でボルト体２１に挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００２６】
そして、本実施形態では、脚片１１ｂより延設された内向鍔片１２が、折曲基部１２ａから先端部１２ｂに向けて傾斜起立した形状となっている。
【００２７】
また、図２（ｂ）の拡大平面図に示すように、内向鍔片１２の先端部１２ｂの辺縁の略中央には、折板屋根３０の頂部３１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、内向鍔片１２自体が傾斜しているため、その傾斜の程度によっては、切り起こし片１２ｄを形成しないものであってもよい。さらに、内向鍔片１２には、内向鍔片１２の強度を上げるためのリブ１２ｅが形成されている。
【００２８】
以上のように構成した屋根上取付具１０は、以下の要領で折板屋根３０に取り付けて使用する。
【００２９】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にし、その屋根上取付具１０を、折板屋根３０に突出したボルト体２１の上方から、両脚片１１ｂ、１１ｂの隙間１５にボルト体２１が嵌挿されるようにして、折板屋根３０の頂部３１ａの上面に載置する（図３（ａ）、（ｂ）参照）。
【００３０】
次に、仮止め状態にしていた緊締用ボルト１３および緊締用ナット１４を締め付けると、この締め付け力によって両脚片１１ｂ、１１ｂが近接して、両脚片１１ｂ、１１ｂ下端の両内向鍔片１２、１２も隙間１５が小さくなるように互いに近接する。そして、両内向鍔片１２、１２が近接することで、その両先端部１２ｂ、１２ｂの両凹所１２ｃ、１２ｃがボルト体２１の軸部２１ａを挟み込むとともに、切り起こし片１２ｄがボルト体２１のネジ溝に食い込んで、両者は強固に連結固定される（図１参照）。
【００３１】
こうして折板屋根３０に取り付けた屋根上取付具１０の本体部１１の上には、各種機器や部材類（不図示）を取り付けることができる。
【００３２】
このように緊締用ボルト１３および緊締用ナット１４で両脚片１１ｂ、１１ｂを緊締した状態では、図１に示すように、両脚片１１ｂ、１１ｂの下端が相互に近づいて両脚片１１ｂ、１１ｂが傾斜状態から略垂直状態に変化しており、それによって両内向鍔片１２、１２は傾斜がさらに急になっている。
【００３３】
このとき、内向鍔片１２の先端部１２ｂの切り起こし片１２ｄを含む凹所１２ｃの端部はボルト体２１のネジ溝に食い込んで固定されているため、内向鍔片１２の軸部２１ａに対する下方からの押上力が下方への反発力を生み出して、その反発力が作用して、内向鍔片１２の折曲基部１２ａが固定状態にある折板屋根３０の頂部３１ａの上面を押圧する。つまり、屋根上取付具１０は、内向鍔片１２の先端部１２ｂのボルト体２１への食い込み、および内向鍔片１２の折曲基部１２ａの頂部３１ａへの押圧によって、３箇所で支持、固定される。
【００３４】
このように、上方への移動がボルト体２１で規制された状態で折板屋根３０の頂部３１ａの上面を押圧するので、屋根上取付具１０の内向鍔片１２は、ボルト体２１と頂部３１ａとの間に強く挟まれた状態となって、折板屋根３０に強固に固定される。屋根上取付具１０は押圧によって強固に取り付けられるので、折板屋根３０に対する回転を制止するための回り止め片等を設けなくても、外力を加えたときに屋根上取付具１０が水平回転したり、ぐらついたりすることを防止できる。
【００３５】
また、本実施形態では、屋根上取付具１０を折板屋根３０に取り付けるためのボルト体２１は、屋根材連結用のものが兼用されているため、取付のための部品点数を少なくすることができる。
【００３６】
図４は本発明に係る屋根上取付具の第２の実施形態を示す説明図であり、図４（ａ）は屋根上取付具の折板屋根への取付状態を示した正面図、図４（ｂ）は同側面図である。また、図５は図４に示した屋根上取付具の分解斜視図である。なお、本実施形態では、屋根上取付具の施工状態図を省略する。
【００３７】
本実施形態に使用される折板屋根３０は、第１の実施形態と同様に、屋根材の重合部３０ａをボルト体２１とナット２２の螺着によって連結した重ね式構造となっているが、ナット２２と折板屋根３０の頂部３１ａとの間には、ボルト孔３０ｂからの水浸入の防止のために、防水パッキンが内装された略円錐形の座金２３が取り付けられている。なお、ナット２２と座金２３とが一体となったものを使用してもよい。
【００３８】
また屋根上取付具１０も、第１の実施形態のものと概ね同様の形状、構造であるが、ナット２２の上に配される、ボルト体２１が貫通する貫通孔１６ａを有した支持板１６をさらに含んだ構成となっている。なお、屋根上取付具１０の本体部１１、内向鍔片１２の構造および脚片１１ｂによる緊締構造については第１の実施形態のものと同様であるため、同様の構成については同様の符号を付して、それらの説明を割愛する。
【００３９】
この支持板１６は、両内向鍔片１２、１２がボルト体２１に挟着したときに、内向鍔片１２の折曲基部１２ａを直接受け止めて、屋根上取付具１０の本体部１１、両内向鍔片１２、緊締用ボルト１３、および緊締用ナット１４よりなる取付具本体を支持するものである。支持板１６と折板屋根３０の頂部３１ａとの間にはナット２２と座金２３とが密着して挟まれているので、折曲基部１２ａは固定された折板屋根３０の頂部３１ａの上面を間接的に押圧することとなる。
【００４０】
そのため、屋根上取付具１０は第１の実施形態と同様に、回転、ぐらつき等なく折板屋根３０に強固に固定され得る。特に、内向鍔片１２の折曲基部１２ａは支持板１６を押圧する構成であるため、本実施形態のように、ナット２２と折板屋根３０の頂部３１ａとの間に座金２３を介装させて頂部３１ａ上面から内向鍔片１２の挟着位置までの高さが高くなっている場合でも、内向鍔片１２の傾斜を急傾斜にしなくてもよいので、特に有効である。
【００４１】
なお、支持板１６の代わりに、頂部３１ａの上面に直接載置する台輪等の台座を設けて、その台座を介して折板屋根３０の上面を押圧するようにしてもよい。
【００４２】
また、第１の実施形態のように座金２３を設けない形態とした折板屋根３０にも、支持板１６を設けた構成としてもよいし、第２の実施形態のように座金２３を設けた形態の折板屋根３０であっても、支持板１６を介さずに直接、折板屋根の頂部を押圧する構成としてもよい。
【００４３】
また、以上の第１、第２の実施形態では、屋根上取付具１０を隣接する両屋根材の重合部３０ａに配した例を示したが、重合部が形成されていない山部の頂部に屋根上取付具１０を取り付けてもよい。
【００４４】
さらに、以上の第１、第２の実施形態では、山部３１、谷部３２の方向に沿って両脚片１１ｂ、１１ｂが配列されるように屋根上取付具１０を配した例を示したが、波の方向に沿って両脚片１１ｂ、１１ｂが配列されるように屋根上取付具１０を配してもよい。その場合、特に丸波形屋根で、波の頂部間の長さが短く、かつ谷部３２の底部面から山部３１の頂部までの高さが低いような場合には、内向鍔片１２の折曲基部１２ａが谷部３２の底部面に当接する構成であってもよい。つまり、屋根上取付具の取付構造は、内向鍔片１２の折曲基部１２ａが波形屋根の上面のいずれかの部位を押圧するような構造であればよい。
【００４５】
なお、屋根上取付具１０は上記２種の方向に配することが望ましいが、それら以外のどのような方向に配してもよい。
【００４６】
また、上記屋根上取付具は、平板形（波形を形成していない）屋根に取り付けることも可能である。
【符号の説明】
【００４７】
１０      屋根上取付具
１１      本体部
１１ａ      上板
１１ｂ      脚片
１２      内向鍔片
１２ａ      折曲基部
１２ｂ      先端部
１６      支持板
１６ａ      貫通孔
２１      ボルト体
２２      ナット
２３      座金
３０      折板屋根（波形屋根）
３０ａ      重合部
３１      山部
３１ａ      頂部
３２      谷部
【図１】
2010229644.tif 000003
【図２】
2010229644.tif 000004
【図３】
2010229644.tif 000005
【図４】
2010229644.tif 000006
【図５】
2010229644.tif 000007